(57)【特許請求の範囲】
【請求項１】
指またはつま先の爪の取り扱いの訓練に使用するための装置であって、
取り替え可能な爪を有する人工の指と、
少なくとも各指のいずれかは弾力性のある圧縮可能な表面とを備え、
前記爪は、ねじ取り付けによって前記指の前記表面の上に取り付けられ、調節可能に設けられていることによって前記表面に対して任意の高さに設置される。
【発明の詳細な説明】
発明の属する技術分野
本発明は、指または足の指の爪の取り扱い、例えばつけ爪の使用などの訓練をするための装置に関する。
発明の背景
つけ爪の使用は、自然の爪につけ爪を粘着させて取り付け、自然の爪に完全なマニキュアを施すことにより効果的に形を形成することを含む美容整形の過程において認められる。爪の取り付けおよび形成を素早く安全に、かつ十分な形状となるように実施するには高度の技術が必要とされる。もしむき出しの皮膚に接触するのを許してしまうと、つけ爪を取り付けるために用いる粘着剤は不快さを引き起こし、つけ爪を受け入れる自然の爪の所定部位における過度の炎症は爪の下にある土台を露出させ、粘着剤が接触する前であっても顧客の痛みを引き起こす。それゆえに、オペレータが十分に上達する前に数週間のトレーニング、特に技術の伴わないオペレータにより顧客に損害を与える危険を防止するためにボランティアが必要である。
マネキンの手を用いることは、固体の手では自然の手に特有の感触ならびに実践で出会うであろう異なる形態の自然の爪や形状および指の大きさをシミュレートするのが不可能であるため、以上に示すようなオペレータを訓練する補助としては役に立たなかった。他の器官が広がる肌の内側にあるのに対し、自然の爪は容易に利用しやすい。訓練を受ける人は、周囲の肌または爪の土台へダメージを与える危険をなくすために、すべての形態の指を安全に扱うことを学ばなければならない。例えば芸術家のモデルとして用いられる木製の手に見られるような関節のある指は、自然の指の感触をシミュレートする助けとなるかもしれないけれども、そのようなモデルは普通爪を含んでおらず、生身の感触を備えていない。
発明の要約
本発明によると、人工の指の上に除去可能に設けられた爪を有する人工の指からなる、指またはつま先の指の取り扱いの訓練に使用するための装置を提供する。
その装置は、前記人工の指を５本有する手または足からなる。その指は関節を有して手または足の主要部または手のひら部分に接続され、その指はそれらの部分の間で関節を有するように接続され提供されている。その関節は、指の１つの部分と他の部分とがなす回転角度を許容するように配列されていることが望ましく、回転角度が各指が主要部分となす回転角度が３０°以上となるのを許容することがより望ましい。
爪が設けられているその指の先端は、取り替えることができるように指の残りの部分に分離可能に接続されている。
本発明の具体例は、少なくとも指の先端に弾力のある圧縮可能な表面を備え、表面に比較して所定の高さに位置するように爪は適当な位置に設けられる。弾力のある圧縮可能な表面は堅いもしくは圧縮性の低い土台の上に着脱可能な表面層の手段として備えられている。好ましくは、弾力のある物質は、自然の肌の感触および性質に可能な限り近い同様の堅さを有するものを選択する。
爪はねじ止めにより、例えばねじ山が形成されたソケットの代わりに下側に備えている爪へ穴を経て指の先端へねじが取り付けられ、指の先端に取り付けられる。それゆえ爪はそのような弾力のある層の爪の圧縮の安全な方法は異なる形態の指、例えばよりもしくは劣る肉付きの指やより深く若しく浅く肌に乗っている爪をシミュレートするように調整することができる。歯止めを備えている下側の私の爪は選択的に、爪はあらかじめ決定された表面からの相対的な高さの位置に位置することによって指の先端に隙間を形成可能であることを意味している。指に対する爪の軸方向の調整するために提供されている。
さらに別の具体例では、爪は指の先端に接続された弾力性のあるさやに設けられ、そのさやは肌および指の爪の肌の圧縮可能な表面をシミュレートしている。
弾力性のある表面層の異なる厚さは指の肉付きの度合いの違いをシミュレートするのに利用される。
爪の大きさおよび形状の違いは、幅広く異なる形態の爪、例えば大きいまたは小さい、対称または非対称などを経験する訓練者に適度な選択性を提供する。
発明のさらなる具体例では、先端は爪が押される弾力のある凹部として爪に備えられている。
手や足は、取り扱い中における自然の手や足の種々の動きをシミュレートする移動の範囲を容認する程度の動きにふさわしいように設けられている。例えば、これはスライド式搭載法あるいはそれに類似の方法などのボールアンドソケット搭載法により達成することができる。
発明の装置はシミュレートを調節することができる爪により日頃の実践においてオペレータが遭遇するような顧客の手の正確な表現を提供するので、オペレータは訓練をボランティアに依存することなくそして顧客の手にダメージを与える危険がなしに最高の実践を急速に訓練することができる。
使用後は、弾力性のある表面層および爪は次の訓練実行のために指先から除去し新しい材料に取り替えられる。
それは、左および右の手（当然、足も）を訓練生が最高に現実的な訓練をするために区別される。
【図面の簡単な説明】
図面においては、発明の異なる概要の典型的な具体例を記載している。
図１は訓練手の透視図であり、指の関節の配列を記載している；
図２ａおよび図２ｂはそれぞれ図１に示す手の１つの指の平面図および立面図である；
図３ａおよび図３ｂは図２ａおよび図２ｂの指に対応する展開図である；
図４は使用するために配置した時における図１の透視図である；
図５ａおよび図５ｂは発明の装置により調節しなければならない異なる形態の範囲を示す２つの指先の見取り図である；
図６は発明の装置から指先の展開透視図である；
図７は組立時における図６の交差部分図であり、浅いシートの爪をシミュレーションを示している；
図８は図７に対応する図であるが、深いシートの爪をシミュレートしている；
図９ａから図９ｅは組立時の図６における指先の末端部の交差部分図であり、皮膚をシミュレートする弾力のある表面層の厚さを連続的に増加させた効果を示している；
図１０ａおよび図１０ｂは達成することができる爪の位置の変化を示す平面図である；
そして図１１は達成することができる変化の様子を示す指先の軸線方向の交差部分図である。
図示した具体例の詳細な記述
最初に図１を参照すると、手１は自然の手の動き、柔軟性および感触を可能な限り精密にシミュレートするように設計されており、自然の手の動きと同一の範囲および方向を有するように配列された指２および親指３が接続されて提供される。各指２は先端部分を有しており、そこに取り外し可能に設けられた以下に記載する爪４がある。図２および３は指の関節の構造を図示している。各指部分２ａ、２ｂ、２ｃは単一面だけで実質的に回転が許容される比較的堅い物質により形成された接続靱帯５を含む簡単な回転接続によって次の部位に接続されていることがわかる。３番目の靱帯６（親指の場合は２番目）は指を手のひら（７、図１）に接続し、より柔軟な材料、例えばポリエチレンなどで形成され、縦方向の軸を中心とした指の回転角度を許容している。約３０°の総回転は典型的な自然の指として利用するためにシミュレートするには十分である。指先２は弾性のある物質の表面層を調整するために、以下に記述するようにその長さの大きな部分以上に厚さを減らしている。スロット８も以下に記述するように指の爪を合わせるために備えられている。
図４は訓練に使用するための訓練手１の取り付けを図示している。手１はシャフト９に取り付けられ、それはボールアンドソケットジョイント１１のボール１１、ベース１４によって水平方向の表面に取り付けることができるスタンド１３に提供されているジョイント１１のソケット１２に回転してスライド可能に取り付けられている。図示した調節は、図の中の曲がった矢印に示すように動きの自由な４つの段階、すなわち垂直回転、前方および後方移動、スタンド１３についての水平回転、ならびにシャフト９についての軸方向回転を手に許容する。これは、実践における顧客の手の動きのよいシミュレーションを提供する。
図５ａおよび図５ｂは実践においてオペレータが遭遇すると思われる異なる大きさの爪の使用を図示している。図５ｂには他の先端の範囲の小さな爪を有するものが図示されているけれども、図５ａに示されている指先はそこへ取り付けられる比較的大きな爪を有している。指先を実践で遭遇するであろう先端の範囲内において先端をシミュレートするためにより大きなまたはより小さなサイズ指先に取り替えることも可能である。しかしながら、肉付きの変化は例によってよりやせたあるいはよりうすい所望の材料として弾力のある表面層（皮膚）を取り替えることで達成される。
図６は、取り替え可能な爪４ならびに指先２ａへ皮膚を取り付けることを許容するための好ましい粘着剤の層に弾力性のある発泡したプラスチックあるいはゴム材料で形成された取り替え可能な下側の表面層または皮膚１５指先２の１つの好ましい構造を図示している。皮膚１５は指先で折り畳むことができ、部分間で重なり合った部分も切れた部分もない連続した層を形成するために隣接して接近した部分のような形態が続くように分割された形態としてあらかじめ形成されている。皮膚１５は指および爪の土台の異なる形態をシミュレートするために異なる厚さの範囲を有することができる。皮膚１５の中のスロット１６は指先２ａのスロット８のサイズおよび位置に一致する。爪４は自然の爪の機械的特性および感触と類似性を有するように、例えばアクリロニトリルブチレンスチレン（ＡＢＳ）のようなプラスチック材料で形成されるのが好ましい。長方形部位ソケット部材１７は爪４の下側から延伸し、部材１７はスロット８にスライドしながら取り付けられるような幅を有しているが、指先に関連する爪の軸方向の調節を許容するためにその長さはそのスロットよりも短い。図７および図８に見られるように、ねじ１８は爪の場所を確保し、下側の皮膚中への埋め込み具合を変化させるためにスロット８内での垂直方向の調節を許容するために部材１７の中のねじ山ソケット１９（図７および８）に取り付けられる。図７は比較的厚い皮膚層１５の中に爪４を浅く収容しているシミュレーションを示し、図８はそれを示しているけれどもねじ止めによりさらに爪が下がった深い収容部をシミュレートすることができる。図９ａから図９ｅは、図９ａの堅く、浅く収容された爪を有するうすい指先から、図９ｅに示されるような深く収容された爪を有する比較的肉付きのよい指先まで異なる形態の指先を達成するために皮膚１５の厚さを変化させた効果を示している。
部材１７と比較した時、スロット８のより大きな長さは、図１０ａおよび図１０ｂに図示するように軸方向の調節を許容する。図１０ａは爪４が完全に指先領域の内部に存在するために図面の背後に収容されている指先を示し、図１０ｂでは、指先の前方に突き出させるために爪４が最大限度前方に収容されている。図１１は達成される軸方向の調節を行う方法を図示する区分された高さである。
発明の装置は指およびつま先の爪の取り扱いの領域での訓練に使用できるけれども、取り替え可能な爪はシミュレートするための幅広い範囲の自然の爪を許容し、例えば噛んだりあるいは割れた爪のために人工の爪を取り付けたり、顧客の指に適応するように形を整えたりする人工爪の技術の訓練に特に向いている。人工の爪を受け入れるための自然の爪の準備、ならびにそれに続く整形および人工の爪の完成を含む技術は、もし十分な注意を果たさないと顧客にダメージを与える危険を有している。指の取り替え可能な皮膚層は、もし訓練者によってそのような注意が訓練されなければすぐに顕著になるだろう。
【図１】
0004131875.tif 000002
【図２ａ】
0004131875.tif 000003
【図２ｂ】
0004131875.tif 000004
【図３ａ】
0004131875.tif 000005
【図３ｂ】
0004131875.tif 000006
【図４】
0004131875.tif 000007
【図５ａ】
0004131875.tif 000008
【図５ｂ】
0004131875.tif 000009
【図６】
0004131875.tif 000010
【図７】
0004131875.tif 000011
【図８】
0004131875.tif 000012
【図９】
0004131875.tif 000013
【図１０ａ】
0004131875.tif 000014
【図１０ｂ】
0004131875.tif 000015
【図１１】
0004131875.tif 000016